(57)【要約】【課題】磁界による影響を周辺の電気機器に与えることなく使用性が非常に向上する電気掃除機を提供する。【解決手段】吸引を行う電動送風機２を収納する本体１を有し、前記電動送風機２で発生する漏洩磁界の最も大きい位置が、前記電動送風機２から本体１の表面までの距離の最も短い位置以外になるように前記電動送風機２を配置したもので、本体１から放出される磁界レベルを低減でき、周囲への影響を抑えた電気掃除機を提供することができる。【選択図】図１
2006102033.tif 000002
【特許請求の範囲】
【請求項１】
吸引を行う電動送風機を収納する本体を有し、前記電動送風機で発生する漏洩磁界の最も大きい位置が、前記電動送風機から本体表面までの距離の最も短い位置以外になるように前記電動送風機を配置した電気掃除機。
【請求項２】
吸引を行う電動送風機を収納する本体を有し、前記電動送風機で発生する漏洩磁界の最も小さい位置が、前記電動送風機から本体表面までの距離の最も長い位置以外になるように前記電動送風機を配置した電気掃除機。
【請求項３】
電動送風機と本体内壁との間に、前記電動送風機で発生する漏洩磁界が外部に漏洩するのを防ぐための防磁界手段を設けた請求項１または２に記載の電気掃除機。
【請求項４】
防磁界手段で、電動送風機からの排気が直接本体内壁に当たらないようにした請求項３に記載の電気掃除機。
【請求項５】
吸引を行う電動送風機を収納する本体と、前記電動送風機を制御する制御手段を有し、前記電動送風機で発生する漏洩磁界の最も低い位置以外の部分と前記本体の内壁との間に、前記制御手段を配置した電気掃除機。
【請求項６】
電動送風機は、ファン部と、界磁コイルを収納したモータ部からなり、前記モータ部の外郭に排気用の開口部を設け、前記界磁コイルのコイル面と直交する方向に前記開口部を位置させないようにした請求項１〜５のいずれか1項に記載の電気掃除機。
【請求項７】
本体の、電動送風機を収納する部分の内壁に導電体を配した請求項１〜６のいずれか1項に記載の電気掃除機。
【請求項８】
本体の、電動送風機を収納する部分の少なくとも一部を導電材料で形成した請求項１〜６のいずれか１項に記載の電気掃除機。
【発明の詳細な説明】
【技術分野】
【０００１】
本発明は、家庭や業務用、店舗用として使用される電気掃除機に関するものである。
【背景技術】
【０００２】
従来のこの種の電気掃除機は、一般的に、掃除機本体に内蔵された電動送風機によって吸引風量を発生し、ゴミを吸引していた。その際、電動送風機に大きな電流が流れ、磁界が発生し駆動することになる。そして、電動送風機には、通常、発熱を抑えるため開口部を設けたりしている(例えば、特許文献１参照)。また掃除機本体は、小型化、軽量化が近年進んできており、樹脂材料を多く採用している。さらに、複雑な電動送風機の入力コントロールを行うために、一般的に、マイクロコンピュータを用いた制御で、プリントキバンを少ないスペースに配置して、製品の機能ｕｐを図っている。そしてさらに仕事率を上げる場合は、入力を極力あげて対応する場合が多い。
【特許文献１】特開平１１−２７９０２号公報
【発明の開示】
【発明が解決しようとする課題】
【０００３】
しかしながら、前記従来の電動送風機においては、仕事率の追求による電流増加や、小型化による電動送風機の放熱低下を防止する為の開口部の増加等によって、電動送風機から発生する磁界の量が多くなり、電動送風機を越えて放出される量が増えてきている。これにより、特に電気掃除機の場合は、広い範囲に渡って移動して使用される商品であるため、他の電気機器に非常に接近して使用されたりすることもあり、他の電気機器に磁気的な影響を与えないようにすることが重要な課題となってきている。
【０００４】
本発明は、前記従来の課題を解決するもので、本体から放出される磁界の量を低減させ、周囲の電気機器に与える影響を低減した電気掃除機を提供することを目的とする。
【課題を解決するための手段】
【０００５】
前記従来の課題を解決するために、本発明の電気掃除機は、吸引を行う電動送風機を収納する本体を有し、前記電動送風機で発生する漏洩磁界の最も大きい位置が、前記電動送風機から本体表面までの距離の最も短い位置以外になるように前記電動送風機を配置したもので、本体から放出される磁界レベルを低減でき、周囲の電気機器への影響を抑えた電気掃除機を提供することができる。
【０００６】
また、本発明の電気掃除機は、吸引を行う電動送風機を収納する本体を有し、前記電動送風機で発生する漏洩磁界の最も小さい位置が、前記電動送風機から本体表面までの距離の最も長い位置以外になるように前記電動送風機を配置したもので、本体から放出される磁界レベルを低減でき、周囲の電気機器への影響を抑えた電気掃除機を提供することができる。
【０００７】
また、本発明の電気掃除機は、吸引を行う電動送風機を収納する本体と、前記電動送風機を制御する制御手段を有し、前記電動送風機で発生する漏洩磁界の最も低い位置以外の部分と前記本体の内壁との間に、前記制御手段を配置したもので、防磁界も兼ねた制御手段であり、低コストで本体から放出される磁界レベルを低減でき、周囲の電気機器への影響を抑えた電気掃除機を提供することができる。
【発明の効果】
【０００８】
本発明の電気掃除機は、本体から放出される磁界レベルを確実に低減でき、周囲の電気機器への影響を抑えることができる。
【発明を実施するための最良の形態】
【０００９】
第１の発明は、吸引を行う電動送風機を収納する本体を有し、前記電動送風機で発生する漏洩磁界の最も大きい位置が、前記電動送風機から本体表面までの距離の最も短い位置以外になるように前記電動送風機を配置したもので、本体から放出される磁界レベルを低減でき、周囲の電気機器への影響を抑えた電気掃除機を提供することができる。
【００１０】
第２の発明は、吸引を行う電動送風機を収納する本体を有し、前記電動送風機で発生する漏洩磁界の最も小さい位置が、前記電動送風機から本体表面までの距離の最も長い位置以外になるように前記電動送風機を配置したもので、本体から放出される磁界レベルを低減でき、周囲の電気機器への影響を抑えた電気掃除機を提供することができる。
【００１１】
第３の発明は、特に、第１又は第２の発明の電動送風機と本体内壁との間に、前記電動送風機で発生する漏洩磁界が外部に漏洩するのを防ぐための防磁界手段を設けたもので、本体から放出される磁界レベルを低減でき、周囲の電気機器への影響を抑えた電気掃除機を提供することができる。
【００１２】
第４の発明は、特に、第３の発明の防磁界手段で、電動送風機からの排気が直接本体内壁に当たらないようにしたもので、本体の温度上昇を抑制し、また本体から放出される磁界レベルを低減でき、周囲の電気機器への影響を抑えた電気掃除機を提供することができる。
【００１３】
第５の発明は、吸引を行う電動送風機を収納する本体と、前記電動送風機を制御する制御手段を有し、前記電動送風機で発生する漏洩磁界の最も低い位置以外の部分と前記本体の内壁との間に、前記制御手段を配置したもので、防磁界も兼ねた制御手段により、低コストで、本体から放出される磁界レベルを低減でき、周囲の電気機器への影響を抑えた電気掃除機を提供することができる。
【００１４】
第６の発明は、特に、第１〜５のいずれか一つの発明の電動送風機は、ファン部と、界磁コイルを収納したモータ部からなり、前記モータ部の外郭に排気用の開口部を設け、前記界磁コイルのコイル面と直交する方向に前記開口部を位置させないようにしたもので、発生源での放出を最小限にとどめることができ、本体からの放出も低減でき、周囲への影響を抑えた電気掃除機を提供することができる。
【００１５】
第７の発明は、特に、第１〜６のいずれか一つの発明の本体の、電動送風機を収納する部分の内壁に導電体を配したもので、本体からの漏洩磁界の放出が低減され、周囲の電気機器への影響を抑えた電気掃除機を提供することができる。
【００１６】
第８の発明は、特に、第１〜６のいずれか一つの発明の本体の、電動送風機を収納する部分の少なくとも一部を導電材料で形成したもので、本体からの漏洩磁界の放出が低減でき、周囲の電気機器への影響を抑えた電気掃除機を提供することができる。
【００１７】
以下、本発明の実施の形態について、図面を参照しながら説明する。なお、この実施の形態によって本発明が限定されるものではない。
【００１８】
（実施の形態１）
以下、本発明の第１の実施の形態における電気掃除機について、図１〜７を参照しながら説明する。
【００１９】
図１は、本実施の形態における電気掃除機の全体斜視図、図２は、同電気掃除機に内蔵された電動送風機の略図である。
【００２０】
図１において、１は電気掃除機本体（以下本体１と称す）、２は前記本体１に収納され、吸引風を生成する電動送風機２、６はゴミの吸い込み口である床ノズル、５は、手元操作部４までの間をつなぐ延長管、４は操作を行う手元操作部、３は、手元操作部４から前記本体１までをつなぐホースである。
【００２１】
図２において、電動送風機２は、ファン部２ｂとモータ部２ｃとからなり、モータ部２ｃに電流が流れた際に発生する熱を放出するための開口部２ａが設けられている。よって、電動送風機２から発生する磁界は前記モータ部２ｃから発生するものである。
【００２２】
図３は、電動送風機２内のモータ部２ｃの構成を示すもので、２ｅは界磁コイルであり、２ｄは界磁鉄心である。前記界磁コイル２ｅに電流を流すことで、前記界磁鉄心２ｄに磁束７が発生する。２ｆはローターで、２ｇはこのローター２ｆに巻かれた巻き線である。
【００２３】
図４は、本体１の後部から見た断面図であり、８はコードリールである。図５は、本体１の側面断面図で、１０は、電動送風機２の運転を制御する制御手段である。
【００２４】
次に、上記構成による電気掃除機の概略動作を説明する。
【００２５】
手元操作部４で動作させるモード（図示せず）を、たとえば、強、標準、弱の中から選択する。この選択を受けて、制御手段１０は前記電動送風機２に信号を出力し、動作を開始する。電動送風機２が動作を開始すると、ホース３、延長管５、床ノズル６が負圧となり、前記床ノズル６から、外気と共に塵埃の吸引が始まる。
【００２６】
ここで、前記電動送風機２には、界磁コイル２ｅに電流を流し界磁鉄心２ｄに磁界を発生させ、また、ローター２ｆの巻き線２ｇにも電流を流すことで磁界が発生する。この動作によりローター２ｆが回転力を誘起し、動作に至る。
【００２７】
この動作において、磁界の発生するレベルについて説明する。図６（ａ）は、電動送風機２を後部から見た略図で、説明の都合上、電動送風機２に対し放射状に８等分し、それぞれ時計回りにＡ〜Ｈとする。
【００２８】
まず、電動送風機２の８等分のそれぞれのレベルについては、基本的に図３に示したように矢印方向が強くなる。これは、界磁コイル２ｅに電流が流れることによる発生磁界の影響が大きい。よって、図６(ａ)に示す状態では、電動送風機２の磁界の強い方向は界磁コイル２ｅのコイル面と直交する方向であり、記号ＡとＥの方向となる。他の方向における磁界の強さレベルは、Ａ＞Ｂ＝Ｄ＝Ｈ＝Ｆ＞Ｃ＝Ｇとなる。この状態で、本体１に収納すると図６（ｂ）のようになる。
【００２９】
ここで、磁界の強さと測定距離の関係について図７を参照しながら説明する。
【００３０】
図７に示すように、磁界の強さと距離については、非常に関係が深く、発生源からの距離が長ければ、磁界のレベルは非常に下がる。
【００３１】
よって、上記の磁界レベルに方向性をもつ電動送風機２の収納状態で、周囲の電気機器への影響度合いを低減するには、発生源からの距離を多くとればいいのである。が、しかしながら、製品本体１の小型化を狙っている以上、磁界の発生源である電動送風機２から本体１の表面までの距離を大きくとることは不可能である。そこで、前記電動送風機２の動作によって発生する漏洩磁界の最も大きい位置（図６（ａ）では、ＡまたはＥ方向）を前記電動送風機２から本体１表面までの距離の最も短い位置（図６（ｂ）ではＮ方向）以外の位置になるように、電動送風機２を配置する。これにより、特化した磁界レベルの悪い方向は無くなり、レベルの均一化が図れる。
【００３２】
また、発生する漏洩磁界の最も低い位置（図６（ａ）ではＣまたはＧ方向）を前記電動送風機２から本体１表面までの距離の最も長い位置（図６（ｂ）ではＱ方向）以外に配置させるようにする。これによっても、上記と同じように、特化した磁界レベルの悪い方向は無くなり、レベルの均一化が図れる。
【００３３】
さらに、もっとも高いレベルを抑えるには、発生する漏洩磁界の最も高い位置（図６（ａ）ではＡまたはＧ方向）を前記電動送風機２から本体１表面までの距離の最も長い位置（図６（ｂ）ではＱ方向）に配置させることが有効である。
【００３４】
（実施の形態２）
本発明の第２の実施の形態における電気掃除機について図８〜１０を用いて説明する。なお、上記第1の実施の形態と同一部分については同一符号を付して、その説明を省略する。
【００３５】
図８は、本発明の実施の形態における電気掃除機の側面断面図、図９は、同電気掃除機の後部断面図である。
【００３６】
本体１から放出される磁界のレベルを低減するために、上記第１の実施の形態では、できるだけ距離を確保するようにしたが、本実施の形態は、磁界の放出を防止する防磁界手段を設けたものである。
【００３７】
図８、９に示すように、電動送風機２のモータ部２ｃから発生する磁界を抑えるため、そのモータ部２ｃの抑えたい磁界の放出方向で、モータ部２ｃを覆うように防磁界手段９を設置する。磁界は発生源から放射状に放出されるので、防磁界手段９の面積が大きければより大きな防磁効果が得られる。ここで、防磁界手段９は、たとえば鉄板で構成されても、効果はあるが、珪素鋼板や電磁鋼板といった磁界を遮断する専用の鋼板を用いることで、より高い効果が得られる。また、電動送風機２のモータ部２ｃだけでなく、ファン部２ｂまでも覆うことによっても、放射状に放出する磁界の低減にとっては効果がある。
【００３８】
さらに、電気掃除機本体１は、大きな吸引風量でゴミを吸引するので、同じ量だけ排気させなければならない。その際、前記電動送風機２のモータ部２ｃから放熱をかねて排気されることになる。その際に、排気された熱気が直接本体１の裏面に当たると、本体１の表面温度が上昇し、使用者によって不快感を感じることになる。そこで、前記電動送風機２のモータ部２ｃから排気される空気が直接本体１の裏面に当たらないようにするため、一旦防磁界手段９にあてるようにする。これによって、排気された熱風による本体１の表面の温度上昇を抑えながら、磁界の放出も低減できるものである。
【００３９】
また、防磁界手段９において、前記電動送風機２を制御する制御手段１０もその一躍を担うことが可能である。前記制御手段１０には、多くの電子部品が搭載され、また、電流を流す経路が銅箔で形成されている。よって、制御手段１０の配置により磁界を低減することが可能である。
【００４０】
図１０に示すように、例えば、制御手段１０を電動送風機２にセットした状態で、このセットの位置を前記電動送風機２から発生する磁界の高いレベルの部分にセットすることで、その方向に放出される磁界の低減が図れる。図１０（ａ）において、制御手段１０は、電動送風機２のモータ部２ｃに接するように配置され、銅箔を有したプリントキバン１０ａと、このプリントキバン１０ａ上の電子部品１０ｂを備えている。
【００４１】
ここで、制御手段１０の設置方法について一例を示す。
【００４２】
図１０（ｂ）に示すように、電動送風機２の磁界のレベルを前述と同様にＡ〜Ｈで示す。ここで、この設置によると、電動送風機２の動作によって発生する漏洩磁界の最も低い位置（図１１（ｂ）で、ＣまたはＧ方向）以外と本体１との間に前記制御手段１０を配置する。よって、上記のように、制御手段１０にて磁界の低減を図ることができる。
【００４３】
また、図１０（ａ）において、電動送風機２に設けた開口部２ａを、電動送風機２から発生する磁界のレベルの高い方面（図１１（ｂ）のＢ、Ａ、Ｈ間およびＤ、Ｅ、Ｆ間）に設けないようにすることで、鋼板で構成されている電動送風機２の外郭においては、磁界低減の効果が得られる。
【００４４】
図１１は、防磁界手段の他の例を示すもので、本体１の電動送風機２を収納する部分の内面に導電体１１を配して、電動送風機２から放出される磁界を、本体１から放出される直前で遮断するものである。導電体１１としては、例えば、本体１の内面に導電性の塗料を塗ることや、テープ、フィルム、シール等、加工しやすい状態のもので対応することができる。
【００４５】
又、本体１の少なくとも電動送風機２を収納する部分の外郭自体を鋼板などの導電材料で形成すれば、外部に放出される磁界をより低減することができる。
【産業上の利用可能性】
【００４６】
以上のように、本発明にかかる電気掃除機は、磁界による影響を周辺の電気機器に与えることなく使用性が非常に向上するもので、各種電気掃除機、集塵機等に適用できる。
【図面の簡単な説明】
【００４７】
【図１】本発明の実施の形態１における電気掃除機の斜視図
【図２】同電気掃除機に内蔵された電動送風機の略図
【図３】同電動送風機のモータ部の構成を示す平面図
【図４】同電気掃除機の後部断面図
【図５】同電気掃除機の側面断面図
【図６】（ａ）同電動送風機の後面から見た略図（ｂ）同電気掃除機の後部断面図
【図７】同電動送風機の磁界レベルと距離の関係を示す図
【図８】本発明の実施の形態２における電気掃除機の側面断面図
【図９】同電気掃除機の後部断面図
【図１０】（ａ）同電気掃除機に内蔵された電動送風機の略図（ｂ）同電動送風機の後面から見た略図
【図１１】他の例を示す電気掃除機の後部断面図
【符号の説明】
【００４８】
１  電気掃除機本体（本体）
２  電動送風機
７  磁束
９  防磁界手段
１０  制御手段
【図１】
2006102033.tif 000003
【図２】
2006102033.tif 000004
【図３】
2006102033.tif 000005
【図４】
2006102033.tif 000006
【図５】
2006102033.tif 000007
【図６】
2006102033.tif 000008
【図７】
2006102033.tif 000009
【図８】
2006102033.tif 000010
【図９】
2006102033.tif 000011
【図１０】
2006102033.tif 000012
【図１１】
2006102033.tif 000013